(57)【要約】【課題】内外周での記録特性の差のある光ディスクに対しても、記録品位を安定させ、読み出し不能エラーの発生しにくい記録を実現できる光ディスク記録方法を提供することを目的とする。【解決手段】光ディスクにレーザを照射して読み取った光ディスクの種類に基づいて光ディスク内外周プロファイル情報を特定し、記録時には、前記特定した光ディスク内外周プロファイル情報と、光ディスク上の時々の記録個所の現在位置情報とに基づいて、時々の記録パラメータを補正して記録する。【選択図】図２
2007213711.tif 000002
【特許請求の範囲】
【請求項１】
光ディスクにレーザを照射して記録するに際し、
光ディスクの種類ごとの内周から外周に向けて記録特性を表す光ディスク内外周プロファイル情報が書き込まれた情報記憶手段を、光ディスクにレーザを照射して読み取った光ディスクの種類に基づいて読み出して該当する光ディスク内外周プロファイル情報を特定し、
記録時には、前記特定した光ディスク内外周プロファイル情報と、光ディスク上の時々の記録個所の現在位置情報とに基づいて、時々の記録パラメータを補正して記録する
光ディスク記録方法。
【請求項２】
光ディスクへ出力する時々のレーザのパワーとパルス幅のうちの少なくとも一方を、光ディスク上の現在位置情報と光ディスク内外周プロファイル情報に基づいて補正する
請求項１記載の光ディスク記録方法。
【請求項３】
光ディスクへ出力する時々のレーザのパワーとパルス幅のうちの少なくとも一方を、光ディスク上の現在位置情報と光ディスク内外周プロファイル情報に基づいて、光ディスク内周から外周方向にわたって曲線状または階段状または直線状に補正する
請求項１記載の光ディスク記録方法。
【請求項４】
セットされた光ディスクの種類ならびに記録中の光ディスク上の現在位置情報を検出する読み取り手段と、
光ディスクの種類ごとの内周から外周に向けて記録特性を表す光ディスク内外周プロファイル情報が書き込まれた情報記憶手段と
を有し、
前記読み取り手段が検出した光ディスクの種類に基づいて前記情報記憶手段から読み出した光ディスク内外周プロファイル情報と、記録時に前記読み取り手段が検出した光ディスク上の時々の現在位置情報とに基づいて、光ディスクへの記録時の記録パラメータを補正するように構成した
光ディスク記録装置。
【請求項５】
光ディスクへ出力する時々のレーザのパワーとパルス幅のうちの少なくとも一方を、光ディスク上の現在位置情報と光ディスク内外周プロファイル情報に基づいて補正するように構成した
請求項４記載の光ディスク記録装置。
【請求項６】
前記情報記憶手段を、光ディスクの種類ごとに、光ディスク内周から外周方向にわたる曲線状または階段状または直線状の補正特性を決定するに必要な係数または目標値を、光ディスク内外周プロファイル情報として書き込んで構成した
請求項４記載の光ディスク記録装置。
【発明の詳細な説明】
【技術分野】
【０００１】
本発明は、光ディスク記録方法に関し、特に光ディスクに記録を行う際の記録パラメータの制御に関するものである。
【背景技術】
【０００２】
近年、光ディスクの書き込み速度は年々高速化しており、特にＣＤ−Ｒ光ディスクにおいては、すでに４０倍速を超える記録に対応する光ディスクや記録装置が普及してきている。
【０００３】
図６は従来の光ディスク記録再生装置を示し、図７はその記録動作時の要部のフローチャートを示す。
図６に示した光ディスク記録再生装置は、記録可能な光ディスク１に光学的にアクセスする光学ヘッド手段２と、光学ヘッド手段２の読み出し信号より再生信号を生成するＲＦ信号生成手段３と、光ディスク１の半径方向へ移動する光学ヘッド手段２を駆動するアクセス手段４と、記録時に後述するエンコーダ手段７の出力に同期し記録レーザビームの出力を行うレーザ駆動手段５と、ＲＦ信号生成手段３を介して読み出された再生信号からディスクの既記録情報を検出する既記録情報復調手段６と、記録したいデータをディスク１に記録するため記録パルスのデータに変調して記録パルスを生成し、レーザ駆動手段５を駆動するエンコーダ手段７と、前記アクセス手段４、レーザ駆動手段５、エンコーダ手段７を運転する制御手段８と、情報記憶手段９とを備えている。
【０００４】
なお、情報記憶手段９には光ディスク１を供給している各ベンダーごとに各光ディスク種類ごとの感度の単一のパラメータが記載されている。
図７は、光ディスク１のアドレスＡ１からＡ２にわたる書き込みを実行する場合の制御手段８のフローチャートである。
【０００５】
先ず、図７のステップＳ０−１では、アクセス手段４が光学ヘッド手段２を記録開始アドレスＡ１へ移動させるように制御手段８がアクセス手段４に指示する。
ステップＳ０−２では、光学ヘッド手段２，ＲＦ信号生成手段３，既記録情報検出手段６を介して光ディスク１から読み出し復調された再生信号に基づいて制御手段８が、使用中の光ディスク１に対応した感度のパラメータを情報記憶手段９から読み出して、記録線速度に基づいた記録光パワー，記録光パルス幅を決定する。
【０００６】
ステップＳ０−３では、ステップＳ０−２で決定した記録光パワー，記録光パルス幅となるように制御手段８がレーザ駆動手段５を運転して書き込みを開始する。
ステップＳ０−４では、光学ヘッド手段２がアクセスしている現在位置情報または線速度情報を取得する。
【０００７】
ステップＳ０−５では、ステップＳ０−４で取得した情報から決定した記録線速度に基づいた記録光パワー，記録光パルス幅を決定する。
ステップＳ０−６では、ステップＳ０−５で決定した記録光パワー，記録光パルス幅となるように制御手段８がレーザ駆動手段５を運転して書き込みを開始する。
【０００８】
ステップＳ２−７では、「アドレスＡ２まで記録が終了したか」を制御手段８が判定して、「アドレスＡ２までの記録が終了していない」と検出された場合には、ステップＳ０−４からステップＳ０−６のルーチンを、「アドレスＡ２まで記録が終了した」と前記ステップＳ２−７で検出されるまで繰り返し実行する。
【０００９】
このようにして、使用中の光ディスク１に対応した感度の単一のパラメータに基づいて制御手段８が、光ディスク１の内周から外周に向けて全面同一なパラメータでの書き込みを実施している。
【００１０】
４０倍速を超える記録においては、一般に、ＣＡＶ（Constant Angular Velocity  角速度一定）方式、あるいは線速度一定のＣＬＶ（Constant Linear Velocity  線速度一定）であっても部分部分（Ｚｏｎｅ）で速度を切り換えたZoneＣＬＶ方式のように、光ディスク１の内周と外周で記録スピードが異なる記録方式が採用されることが多い。この記録方式では、内周と外周とでは記録時の線速度が２．５倍程度も異なることになり、これに対応するため、光ディスク自体、内周から外周に向けて記録膜の特性（感度）が異なるものが出てきている。
【００１１】
また、一般的に、最高倍速での記録の方が低倍速での記録と比較してタイミング条件が厳しいため難易度が高く、記録品位の面では不利であり、より高い記録品位を確保するためには、比較的低倍速で光ディスクの全ての領域を記録するのが有利である。
【００１２】
また、光ディスク１を回転駆動するモータとしてスリムタイプのモータを使用した光ディスク記録再生装置では、トルク制限などから高倍速記録に制限をもつ記録装置もある。
しかしながら、上記のような内外周で感度の異なる高倍速対応光ディスクに対して、比較的低倍速、例えば８倍速ＣＬＶで全面記録する場合、全面同一なパラメータを使用して記録を行った場合には、内周で最適であっても、内周から外周に向けて記録品位が少しずつ低下するという現象が発生する。
【００１３】
この不具合を改善する従来の方法として、光ディスク１からの反射光をモニタし、反射光量に応じて記録パワーを変化させながら記録を行う方法（RunningＯＰＣ）や、ＣＡＶ記録、あるいは複数のゾーンに分けて、ゾーン毎に適当なパラメータを用いてZoneＣＡＶ，あるいはZoneＣＬＶ記録を行う方法が知られている。
【特許文献１】特開２００１−２４３６２７公報
【発明の開示】
【発明が解決しようとする課題】
【００１４】
上記の如く、市場の光ディスク１の中には内周と外周で特性の大きく異なるものが数多く存在する。この光ディスクに対して、内周で最適な状態で記録を開始して、同一の記録パラメータを用いて全面記録した場合には、図８（ａ）に示すように、光ディスクから読み出されるデータのエラー状態ＢＬＥＲ（Block Error Rate）の値が外周へいくにつれて大きくなっており、外周へいくに連れて記録品位が悪化する。ひどい場合には、外周のデータが読み出せないといった問題が発生してしまう。図８（ｂ）は不具合が発生していないケースのＢＬＥＲのグラフである。
【００１５】
このような問題を解決するための方法の１つとして、ディスクからの反射光をモニタし、反射光量に応じて記録パワーを変化させながら記録を行う方法（RunningＯＰＣ）が知られているが、この場合、反射光をモニタするため回路構成が複雑になり、装置のコストアップになる。
【００１６】
また、光ディスクをＣＡＶ記録、あるいは、ZoneＣＡＶ、あるいはZoneＣＬＶ記録を行う場合には、光ディスクの外周側では比較的高倍速で記録が行われることになり、高い記録品位を確保する上では不利となる。光ディスクを複数のゾーンに分けて、ゾーン毎に適当なパラメータを用いてZoneＣＬＶ記録を行った場合には、光ディスクの最内周、最外周間の記録品位の差は多少改善されるが、光ディスク自体の持つ内外周特性差には対応しておらず、各ゾーン内においては内外周での記録品位差が依然として残ったままなので、ゾーンの境界付近で記録品位が悪くなり、ひどい場合には読み取りエラーが発生しやすくなる問題がある。
【００１７】
本発明は、内外周での記録特性の差のある光ディスクに対しても、装置構成を複雑にすることなく、記録品位を安定させ、読み出し不能エラーの発生しにくい記録を実現できる光ディスク記録方法および光ディスク記録再生装置を提供することを目的とする。
【課題を解決するための手段】
【００１８】
本発明の請求項１記載の光ディスク記録方法は、光ディスクにレーザを照射して記録するに際し、光ディスクの種類ごとの内周から外周に向けて記録特性を表す光ディスク内外周プロファイル情報が書き込まれた情報記憶手段を、光ディスクにレーザを照射して読み取った光ディスクの種類に基づいて読み出して該当する光ディスク内外周プロファイル情報を特定し、記録時には、前記特定した光ディスク内外周プロファイル情報と、光ディスク上の時々の記録個所の現在位置情報とに基づいて、時々の記録パラメータを補正して記録することを特徴とする。
【００１９】
本発明の請求項２記載の光ディスク記録方法は、請求項１において、光ディスクへ出力する時々のレーザのパワーとパルス幅のうちの少なくとも一方を、光ディスク上の現在位置情報と光ディスク内外周プロファイル情報に基づいて補正することを特徴とする。
【００２０】
本発明の請求項３記載の光ディスク記録方法は、請求項１において、光ディスクへ出力する時々のレーザのパワーとパルス幅のうちの少なくとも一方を、光ディスク上の現在位置情報と光ディスク内外周プロファイル情報に基づいて、光ディスク内周から外周方向にわたって曲線状または階段状または直線状に補正することを特徴とする。
【００２１】
本発明の請求項４記載の光ディスク記録装置は、セットされた光ディスクの種類ならびに記録中の光ディスク上の現在位置情報を検出する読み取り手段と、光ディスクの種類ごとの内周から外周に向けて記録特性を表す光ディスク内外周プロファイル情報が書き込まれた情報記憶手段とを有し、前記読み取り手段が検出した光ディスクの種類に基づいて前記情報記憶手段から読み出した光ディスク内外周プロファイル情報と、記録時に前記読み取り手段が検出した光ディスク上の時々の現在位置情報とに基づいて、光ディスクへの記録時の記録パラメータを補正するように構成したことを特徴とする。
【００２２】
本発明の請求項５記載の光ディスク記録装置は、請求項４において、光ディスクへ出力する時々のレーザのパワーとパルス幅のうちの少なくとも一方を、光ディスク上の現在位置情報と光ディスク内外周プロファイル情報に基づいて補正するように構成したことを特徴とする。
【００２３】
本発明の請求項６記載の光ディスク記録装置は、請求項４において、前記情報記憶手段を、光ディスクの種類ごとに、光ディスク内周から外周方向にわたる曲線状または階段状または直線状の補正特性を決定するに必要な係数または目標値を、光ディスク内外周プロファイル情報として書き込んで構成したことを特徴とする。
【発明の効果】
【００２４】
この構成によると、特に、回路の追加や、複雑な処理を必要とせずに、近年特に増加傾向にある内外周特性差のある光ディスクに対しても適切な記録パラメータを使用して記録を行うことが可能であり、安定した記録品位を得ることができ、再生不能エラーを発生しにくくできる。
【発明を実施するための最良の形態】
【００２５】
以下、本発明の実施の形態を、図面を参照しながら説明する。
（実施の形態１）
図１〜図５は本発明の（実施の形態１）を示す。
【００２６】
図１は光ディスク記録再生装置を示し、情報記憶手段９に書き込まれているデータの内容が図６に示した従来例とは、異なっている。さらに、制御手段８の構成も異なっている。その他は図６に示した従来例と同じである。
【００２７】
この光ディスク記録再生装置で記録・再生する光ディスク１は、ＣＤ−Ｒ光ディスク、ＣＤ−ＲＷ光ディスク、ＤＶＤ−Ｒ光ディスク、あるいはＤＶＤ−ＲＷ光ディスク等の記録可能な光ディスクとしている。
【００２８】
光ディスク１へのデータの記録に際して、光ディスク１をトレースするレーザビームをレーザ駆動手段５より読み取り手段としての光学ヘッド手段２から照射し、これによってディスク１の記録データの読み出し（再生）を行い、記録時には、レーザ駆動手段５の駆動により光学ヘッド手段２がレーザを照射することによりデータの記録を行う。ＲＦ信号生成手段３，クセス手段４と、既記録情報検出手段６と、制御手段８の制御により記録したいデータをディスク１に記録するため記録パルスのデータに変調し（記録パルスとして生成し）、レーザ駆動手段５を駆動するエンコーダ手段７とは、図６と同じである。
【００２９】
情報記憶手段９には、ディスク１の光ディスク内外周プロファイル情報１０が保存されている。具体的には、光ディスク種別毎に実験等により予め決定した値を情報記憶手段９内に格納してある。
【００３０】
以下に、光ディスク内外周プロファイル情報１０を決定する方法の一例を説明する。
この実施の形態１では、光ディスク１の内外周特性差を補うために記録パラメータとして、記録パワーを変化させている。光ディスク１の内周、中周、外周それぞれの特定のアドレス近傍において記録品位の最もよくなるパワーを予め実験により求める。横軸をディスク上のアドレス、縦軸をパワーとし、求めた３つの点を通る近似曲線を求める。本実施例においては、図３のとおり、近似曲線を表す多項式として、
Ｐ（ｘ）＝ａｘ２＋ｂｘ＋ｃ  ・・・・第１式
を使用し、係数ａ，ｂ，ｃを使用対象の各光ディスク１における光ディスク内外周プロファイル情報１０として情報記憶手段９内に格納している。光ディスク内外周プロファイル情報１０に基づいて当該光ディスクのアドレスｘにおける最適記録パワーを求める際には、式１により求める。以上が、実験により光ディスク内外周プロファイル情報１０を決定する方法の一例の説明である。
【００３１】
この情報記憶手段９に書き込まれているデータを使用して、光ディスク１のアドレスＡ１〜Ａ２にわたって記録する制御手段８は、図２に示すように構成されている。
なお、図２のフローの実行に際しては、光ディスクの種類の読み出しは完了している。具体的には、光ディスクの種類は、ディスクの既記録情報を読み出すことによって特定する。例えば、ＣＤ−Ｒの場合であれば図１の最内周Ａ０に記録されているＡＴＩＰ Special情報を読み出し、その値により光ディスクベンダを特定可能である。
【００３２】
光ディスクベンダを特定した後に、種類がＣＤ−Ｒである光ディスク１に対してＣＬＶ８倍速でアドレスＡ１からアドレスＡ２まで記録を行う場合、制御手段８は、ステップＳ１において、アクセス手段４を駆動し、記録開始アドレスへ光学ヘッド手段２を移動させる。
【００３３】
ステップＳ２では、光ディスク内外周プロファイル情報１０のうちから前記光ディスクベンダー情報に対応する前記係数ａ，ｂ，ｃを、セットされた光ディスクに該当する光ディスク内外周プロファイル情報１０として取得する。
【００３４】
ステップＳ３では、情報記憶手段９より取得した光ディスク内外周プロファイル情報１０に基づき、アドレスＡ１における記録パワーを決定、設定し、ステップＳ４で記録を実行する。本実施例においては、ステップＳ２で得た係数ａ，ｂ，ｃ及び、アドレスＸ＝Ａ１と前記第１式に基づいて決定した、アドレスＡ１における最適記録パワーでの記録をステップＳ４で実行している。
【００３５】
ステップＳ５では、ディスク１に予め記録されている位置情報を、既記録情報復調手段６により復調し、記録動作中の現在位置情報として読み出す。
ステップＳ６では、ステップＳ５で読み取った現在位置情報を前記第１式に代入して、現在位置の光ディスク１の光ディスク内外周プロファイル情報１０を取得する。
【００３６】
ステップＳ７では、ステップＳ６での情報に基づいて現在位置における記録パワーを決定、設定し、記録動作を行う。
ステップＳ８では、「アドレスＡ２までの記録が終了したか」を判定する。このステップＳ８において「アドレスＡ２までの記録が終了した」と検出するまでは、ステップＳ４に戻って、ステップＳ５では直前のステップＳ７で決定した最適記録パワーにて記録を実行し、ステップＳ５〜ステップＳ８のルーチンを繰り返す。このように、ステップＳ８において「記録終了位置のアドレスＡ２までの記録が完了した」と検出すると、記録動作を終了する。
【００３７】
なお、この実施の形態では、第１式に基づいて記録パラメータを曲線状に制御できるように係数を書き込んだが、光ディスク内外周プロファイル情報１０としては、ディスクの任意の位置での記録パラメータを決定することが可能な情報であればよく、実験により求めた値に基づき、図４（ａ）のように内周から外周までの区間を区切り、区間ごとの最適記録パワーを目標値として書き込んでおいて階段状に制御するようにしても同様に実施できる。また、図４（ｂ）のように、下記の第２式に基づいて記録パラメータを直線状に制御できるように係数を書き込んおいても同様に実施できる。
【００３８】
Ｐ（ｘ）＝ｄｘ＋ｅ  ・・・・第２式
また、上記の各実施の形態では、光ディスクの内外周差を補うために、記録中の光ディスク上の位置によって記録パラメータとしてマーク部の記録パワーを変化させたが、同様な方法を用いて、記録パワーの代わりに図５（ａ）または図５（ｂ）に示したように、マーク部の記録パルス幅を変化させてもよい。さらに、変化させるパラメータは、記録パワー、記録パルス幅、どちらか１つだけでもよいし、両方のパラメータに対して適用してもよい。
【００３９】
また、上記は、ＣＬＶ８倍速記録を例に挙げて説明したが、ＣＡＶ記録にも適用可能である。ＣＡＶ記録では通常外周にいくにつれて線速度が速くなるのでそれに伴って記録パワーを強くする方向に変化させるのが従来の方法であるが、その変化にディスクの光ディスク内外周プロファイル情報を加味することにより、記録品位をより安定させることができる。
【００４０】
なお、温度環境などの変化に対応するため、一般に知られているＯＰＣの方法を用いて最適パワーを図２の記録フローチャートを実行する前に取得し、得られた値に比例した値を上記の制御パワーに乗算することで温度などの環境の違いにも対応することができる。
【００４１】
上記の各実施の形態では、すべての種類の光ディスクに対して記録パラメータをステップＳ３からステップＳ８を実行して記録パラメータを補正して記録するように構成したが、予め実験等により内外周特性差が比較的大きいとわかっている光ディスクに対してのみ適用すればよい。具体的には、図２の記録フローチャートを実行する前に、光ディスクの種類である光ディスクベンダを確認した後に、それが内外周で記録特性に傾きがある光ディスクかどうかを情報記録手段９に書き込まれた表を参照して判別し、内外周で記録特性に傾きが許容範囲内の光ディスクに対しては適用する必要はない。
【００４２】
以上のように、特に、回路の追加や、複雑な処理を必要とせずに、内外周特性差のある記録光ディスクに対しても、光ディスク内外周プロファイル情報１０を記録装置内にもたせておき、光ディスク内外周プロファイル情報１０を参照し記録位置に応じて記録パラメータを適宜変化させながら記録を行うことにより、ディスクの全面において記録品位を安定させ、読み出し不能エラーの発生しにくい記録を実現することができる。
【００４３】
上記の各実施の形態は、ＣＬＶ（線速度一定）またはZoneＣＬＶの場合であったが、ＣＡＶ（角速度一定）の場合にも適用できる。
【産業上の利用可能性】
【００４４】
本発明にかかる光ディスク記録再生装置および光ディスク記録方法は、光ディスクの特性にあわせて最適な記録パラメータを用いて記録することが可能であり、安定した記録品位を得ることができ、再生不能エラーの発生しにくい記録を実現することが可能であり、各種光ディスクのデータ記録技術として有用である。
【図面の簡単な説明】
【００４５】
【図１】本発明の実施の形態１における光ディスク記録再生装置の構成図
【図２】同実施の形態の制御手段のフローチャート図
【図３】同実施の形態の光ディスク内外周プロファイル情報の説明図
【図４】別の実施の形態の光ディスク内外周プロファイル情報の説明図
【図５】更に別の実施の形態のパルス幅設定パラメータの説明図
【図６】従来の光ディスク記録再生装置の構成図
【図７】従来の光ディスク記録再生装置による記録動作を説明するフローチャート図
【図８】内外周特性差により不具合が発生するケースのＢＬＥＲ測定図と不具合が発生していないケースのＢＬＥＲ測定図
【符号の説明】
【００４６】
１    光ディスク
２    光学ヘッド手段
３    ＲＦ信号生成手段
４    アクセス手段
５    レーザ駆動手段
６    既記録情報復調手段
７    エンコーダ手段
８    制御手段
９    情報記憶手段
１０    光ディスク内外周プロファイル情報
【図１】
2007213711.tif 000003
【図２】
2007213711.tif 000004
【図３】
2007213711.tif 000005
【図４】
2007213711.tif 000006
【図５】
2007213711.tif 000007
【図６】
2007213711.tif 000008
【図７】
2007213711.tif 000009
【図８】
2007213711.tif 000010